(57)【要約】【課題】  キー入力時の表示が確認しやすく、片手でスライド操作が容易なスライド式携帯情報端末を提供する。【解決手段】  情報等の表示を行う表示部１０５の表示面を筐体表面と略平行に設けた第１筐体１０１と、情報の入力を行う入力キーの操作面２０４を筐体表面と略平行に設けた第２筐体２０１とを備え、第１筐体１０１と第２筐体２０１とがスライド機構により略平行にスライド可能に連結された携帯情報端末において、入力キーの操作面２０５は、表示部１０５の表示面に対して傾斜している。【選択図】        図１
2005269566.tif 000002
【特許請求の範囲】
【請求項１】
情報等の表示を行う表示部の表示面を筐体表面と略平行に設けた第１筐体と、情報の入力を行う入力キーの操作面を筐体表面と略平行に設けた第２筐体とを備え、前記第１筐体と前記第２筐体とがスライド機構により略平行にスライド可能に連結された携帯情報端末において、
前記入力キーの操作面は、前記表示部の表示面に対して傾斜している事を特徴とする携帯情報端末。
【請求項２】
請求項１に記載の携帯情報端末において、
上記スライド機構は、上記第１筐体に設けられた略直線状の爪部と上記第２筐体に設けられた略直線状の溝部とで構成され、スライド時前記爪部と前記溝部とが摺動することにより、前記第１筐体と前記第２筐体とが略平行にスライドする構成である事を特徴とする携帯情報端末。
【請求項３】
請求項１又は２に記載の携帯情報端末において、
上記第１筐体は、表示部の表示面とは反対側の背面の一部が前記表示部の表示面に対して傾斜しており、スライド開状態では前記背面の一部と上記第２筐体の入力キーの操作面との間が所定の間隔となる事を特徴とする携帯情報端末。
【請求項４】
請求項１乃至３のいずれか１項に記載の携帯情報端末において、
上記第２筐体は、入力キーの操作面と、該入力キーの操作面とは反対側の背面の一部とが略平行である事を特徴とする携帯情報端末。
【発明の詳細な説明】
【技術分野】
【０００１】
本発明は、２つ以上の筐体をスライド可能に連結する携帯情報端末に係わり、特に情報の表示を行う液晶表示部の表示面に対して、情報の入力を行う入力キーの操作面が所定の傾斜角度を持ったスライド式の携帯情報端末に関する。
【背景技術】
【０００２】
近年、携帯電話では、電話としての機能だけではなく、メール、インターネットなどの付加機能が増加してきた。それに伴い、液晶表示の大画面化、操作キーの増加などから１つの筐体の中に部品を配置するのでは筐体サイズの大型化につながってしまう為、２つの筐体に部品を配置し、折りたたむことで筐体サイズを縮小させる形態に形状が変化してきた。この折りたたみ形状の特徴として、２つの筐体を開いた状態において、液晶表示部の表示面に対して入力キーの操作面が所定の傾斜角度を持つように構成されているため、キー入力中において液晶表示部の表示面の表示内容の確認が行いやすく構成されている。最近では、この折りたたむという縮小方法だけではなく、多種多様な構造で筐体を２つに分け縮小させる形状が提案されている。
【０００３】
その中の一つに、２つの筐体をスライド可能に連結したものがある。従来のスライド式携帯電話では、スライド式という構造から入力キーを備えた第２筐体に対して、液晶表示部を備えた第１筐体がスライド可能に連結され、第１筐体が移動しスライド開状態になった際、前記第２筐体の露出する部分に入力キーが配置されているという構成をしている。
【０００４】
しかしながら、上記従来のスライド式携帯電話では液晶表示部の表示面と前記入力キーの操作面がほぼ平行であった為に、キー入力中では入力キーの操作面を正面となるようにして操作するので、液晶表示部の表示面は斜め方向から視認することとなり、確認しづらいすなわち使い勝手がわるいという問題があった。特に液晶パネルの場合は視野角が狭く、斜め方向から見た場合は画質が劣化する場合がある。このような使い勝手が悪いという問題を解決するために折りたたみ形状の時のように２つの筐体を引き伸ばしたスライド開状態においては、液晶表示部の表示面と入力キーの操作面に所定の傾斜角度を設けたものが提案されている。
【０００５】
このような従来技術では、図７に示すように、２つの筐体をスライドするためのスライド面１１６を湾曲させ２つの筐体をスライドさせることで液晶表示部１０５の表示面に対して下入力キー２０４の操作面が所定の傾斜角度を持つように構成されたものがある（例えば、特許文献１参照）。
【０００６】
また、別な従来技術では、図８に示すように、第１筐体１０１の下部と第２筐体２０１の下部とを接続腕部Ａ１１５で連結し、かつ第２筐体２０１の上部と第１筐体１０１の中央近傍とを接続腕部Ｂ２１５で連結する構成としたものがある。この構成によると、図８（ａ）に示すような閉じた状態で、第１筐体１０１をスライドするように操作すると、図８（ｂ）または図８（ｃ）のスライド開状態となり、スライド開状態では液晶表示部１０５の表示面に対して下入力キー２０４の操作面が所定の傾斜角度を持つようにすることができる（例えば、特許文献２参照）。
【特許文献１】特開２００３−４６６２５号公報
【特許文献２】特開２００３−２９８６９５号公報
【発明の開示】
【発明が解決しようとする課題】
【０００７】
しかしながら、上記特許文献１記載の従来技術では、スライドする面を湾曲させる必要があるため、円弧状の面またはスライド用のレールを作る必要があり、このことはスライドさせるための部品単体同士の部品精度を高くする必要があるので、生産性が悪くなり、コストアップになってしまうという問題がある。さらには、下入力キー２０４は、スライド開状態にて露出する第２筐体の部分に配置しており、下入力キー２０４の上側のキーでは、第１筐体１０１の下端との距離が近くなってしまうので、キー入力が行いづらい、すなわち使い勝手が悪いという問題があった。
【０００８】
また、上記特許文献２記載の従来技術では、スライド開状態にする場合、図８に示すように、接続腕部Ａ１１５と接続腕部Ｂ２１５のスライドに必要とする力の方向が、接続腕部Ａ１１５では第２の筐体２０１とほぼ平行な方向の力３０１であり、接続腕部Ｂ２１５では第１の筐体１０１を持ち上げる方向の力３０２となり、力の方向が異なる。このため、片手でスライドして開けることが困難になり、使い勝手が悪いという問題があった。さらには、接続腕部Ａ１１５と接続腕部Ｂ２１５が必要となり、部品点数や製造の手間が増加し、製造コストが大きくなるという問題があった。
【０００９】
本発明の目的は、スライド式の携帯情報端末において、液晶表示部の表示面を見やすく、さらに片手でのスライド開操作が容易となり、使い勝手が向上した携帯情報端末を提供することにある。
【課題を解決するための手段】
【００１０】
上記課題を解決するために、本発明は、情報等の表示を行う表示部を備えた第１筐体と、情報の入力を行う入力キーを備えた第２筐体とを備え、スライド機構によりスライド可能に連結された携帯情報端末において、前記表示部の表示面と、前記入力キーの操作面との間に第１の傾斜角度を設けた事を特徴とする。これにより、スライド式携帯情報端末において、入力キーを正面となるようにして操作しても液晶表示部も略正面から見ることが可能となり、使い勝手が向上できる。
【００１１】
さらに、前記スライド機構は前記表示部の表示面と略平行な方向に略直線状に形成されている事を特徴とする。これにより、スライド方向を略直線方向にスライド可能な構造としたので、片手でスライド開操作ができ、使い勝手が向上するとともに、略直線状にスライドさせるので部品精度を高くする必要がなく部品の生産性もアップできる。
【００１２】
さらに、前記スライド機構は前記表示部の表示面と略平行な前記第１筐体に設けられた略直線状の爪部と前記入力キーの操作面と第１の傾斜角度を持った前記第２筐体に設けられた略直線状の溝部とで構成され、スライド時前記爪部と前記溝部とが摺動することによりスライドする構成である事を特徴とする。これにより、第２の筐体の溝部と第１の筐体の爪部とで摺動するようにしたので、部品点数や製造の手間が抑えられて、製造コストを低減することができる。
【００１３】
さらに、前記表示部の表示面とは反対側の前記第１筐体の背面の一部と前記表示部の表示面との間に第２の傾斜角度を持たせ、スライド開状態では前記第１筐体の前記背面の一部と前記入力キーの操作面との間が所定の距離となるように構成されている事を特徴とする。これにより、スライド開状態では、第１の筐体の背面の一部が斜めにカットされるため、その空間に指が入り操作可能範囲を大きくすることができ、使い勝手が向上する。
【００１４】
さらに、前記入力キーの操作面とは反対側の前記第２筐体の背面の一部と前記入力キーの操作面とが略平行となるように構成されている事を特徴とする。これにより、キー入力する際には保持している面と平行に下入力キー２０４が設けられているので、端末自体が持ちやすく、キー入力がしやすくなっている。
【発明の効果】
【００１５】
本発明によれば、スライド式の携帯情報端末において、表示部の表示面を見やすく、さらに片手でのスライド開操作が容易となり使い勝手を向上することができる。
【発明を実施するための最良の形態】
【００１６】
本発明を実施するための最良の形態を説明する。
以下、本発明の携帯情報端末の実施例について、携帯電話を例として図面により説明する。ここで同一の部分や場所は、同一記号をもって示す。
【実施例１】
【００１７】
実施例１を説明する。図１から図６は、本発明による携帯電話の実施形態を示す図であり、図１は実施例１の携帯電話のスライド開状態の側面図と斜視図、図２は実施例１の携帯電話のキー入力時の保持姿勢の説明図、図３は実施例１の携帯電話のスライド開状態及び閉状態の側面断面図、図４は実施例１の携帯電話のスライド開状態及び閉状態の側面断面の詳細図、図５は実施例１におけるスライド機構レール部の断面図、図６は実施例１の携帯電話のキー入力時の保持姿勢を表した全体図と視線の角度の図である。
【００１８】
まず、図１を参照して、携帯電話の概略構造と主な実装品の配置構成を説明する。図１において、（ａ）はスライド開状態の側面図、（ｂ）はスライド開状態の斜視図である。図１に示す携帯電話は、情報の表示を行う液晶表示部１０５を有する第１筐体１０１と、情報の入力を行う下入力キー２０４を有する第２筐体２０１とからなる。そして、２つの筐体を厚み方向Ｈに配置し、第１筐体１０１と第２筐体２０１とで上下関係を持つようにする。また、２つの筐体は、スライド機構レール部１０２により、略平行にスライド可能に連結しており、この２つの筐体が重なったスライド閉状態では、厚み方向Ｈよりも幅方向Ｗの方が長く、幅方向Ｗよりも長手方向Ｌが長い略直方体形状となっている。
【００１９】
第１筐体１０１は、厚み方向Ｈよりも幅方向Ｗの方が長く、幅方向Ｗよりも長手方向Ｌが長い略直方体形状をしている。第１筐体１０１の液晶表示部１０５を設けた筐体表面は、側面方向から見ると、液晶表示部１０５の表示面と略平行となっている。液晶表示部１０５と反対側の筐体背面の形状は、第１筐体１０１の上端１０３から上中間地点近辺１０４までの筐体表面と略平行である背面Ａ１１４と、上中間地点近辺１０４から第１筐体の下端１１９までの筐体表面とは傾斜角度αを持った背面Ｂ１２０とからなる。第１筐体は、厚み方向Ｈにおいて、背面Ａではほぼ同一の厚みであり、背面Ｂ１２０では下端１１９に向かって厚みが薄くなる形状をしている。
【００２０】
第２筐体２０１は、第１筐体１０１同様、略直方体形状をしている。第２筐体２０１の第１筐体１０１側の筐体表面は、側面方向から見ると、第１筐体１０１の背面Ａと略平行なスライド面２０７と、第１筐体１０１の表面と傾斜角度αを持つように形成され、下入力キー２０４を設けた操作面２０５とからなる。第２筐体２０１の操作面２０５と反対側の背面の形状は、第２筐体２０１の上端２０２から下中間地点近辺２０３までの背面Ｃ２０６と、下中間地点近辺２０３から第２筐体の下端２１９までの第２筐体の背面Ｄ２２０とからなる。第２筐体は、背面Ｃ２０６及び背面Ｄは、それぞれ第２筐体のスライド面２０７及び操作面２０５とそれぞれ略平行であり、第２筐体２０１は、厚み方向Ｈにおいてほぼ同一の厚みの形状となっている。
【００２１】
液晶表示部１０５の表示面と略平行な第１筐体１０１の背面Ａ１１４と、対面となる第２筐体２０１のスライド面２０７とがスライドするように、略直線状のスライド機構レール部１０２を第１筐体１０１の表面と略平行となるように配置してある。このように長手方向Ｌに対し、ほぼ直線状にスライド可能な構造としている。このスライド機構レール部１０２は、第１筐体１０１の爪部と第２筐体２０１の溝部で構成されている。スライド機構レール部１０２の詳細については、図５で後述する。
【００２２】
上記したような構造をとることにより、スライド開操作時にほぼ直線状にスライドすることが可能で、片手でスムーズにスライド開操作を行う事が出来、そして、液晶表示部１０５の表示面と下入力キー２０４の操作面２０５との間に傾斜角度αがあるので、入力キーを正面となるようにして操作しても液晶表示も略正面から見ることが可能となり、使い勝手が向上できる。さらに、スライドする面は、平面同士で構成することが出来るので部品同士の部品精度を高くする必要がなく、部品の生産性を良くすることが出来る。また、第２の筐体の溝部と第１の筐体の爪部とで摺動するようにしたので、部品点数や製造の手間が抑えられて、製造コストを低減することができる。
【００２３】
また、第１筐体１０１の下側では、背面Ｂ１２０が筐体表面と傾斜角度αを持ち傾斜しながら厚み方向Ｈで薄くなっていく形状となっている。このため、スライド閉状態では、第２筐体の操作面２０５と第１筐体の背面Ｂ１２０とが重なって、下入力キー２０４が隠れることとなり、また、スライド開状態では、第１筐体の背面Ｂ１２０と第２筐体の操作面２０５とが離れ、背面Ｂ１２０と操作面２０５との間に所定の間隔が確保されて下入力キー２０４が露出することになる。この構造により、下入力キー２０４を押す際に第１筐体の下端１１９に指がぶつからないような配慮をしており、下入力キー２０４の操作の使い勝手が向上されている。
【００２４】
また、この第１筐体１０１の傾斜している部分に部品高さの低い上入力キー１０７を配置するが可能で、第１筐体１０１のデットスペースを軽減する事が出来る。また上入力キー１０７として、携帯電話の中でもスライド閉状態での使用頻度の高い発着信キー、上下左右スクロールキー、決定キーを配置する事により、スライド閉状態のままでもこれらの機能は使えることが出来る。なお、ここで使用頻度の高いキーは上記に限定されるものではなく、他機能のキーを配置しても良い。
【００２５】
本実施例では、第１筐体１０１の筐体表面と第２筐体の下入力キー２０４を設けた操作面２０５とがなす傾斜角度と、第１筐体の背面Ｂ１２０と第１筐体１０１の筐体表面とがなす傾斜角度を同じ角度αとしたが、相違する角度としても構わない。
【００２６】
第２筐体の下入力キー２０４を設けた操作面２０５の反対側である背面Ｄ２２０は、第２筐体の操作面２０５と略平行となる形状となっている。この事により、キー入力する際に保持する面と平行に下入力キー２０４を設けているので、端末自体を持ちやすくなり、キー入力がしやすい構造となっている。さらに、使用者はスライド開状態にて保持する際に、手のひらに対して第２筐体の操作面２０４がほぼ平行に持つ事になり、液晶表示部１０５の表示面が所定の角度である傾斜角度αを与えられ、キー入力時に液晶表示部１０５の確認が行いやすく、使い勝手が向上する。
【００２７】
次に、図２を参照して、本実施例の携帯電話におけるスライド開状態での使い勝手について説明する。図２は、下入力キー２０４からの入力に際し、使用者の手首より先の保持姿勢の図で、図２（ａ）は下入力キー２０４中盤辺りを押している図であり、図２（ｂ）は下入力キー２０４上側を押している図である。
【００２８】
キー入力を行う場合に、スライド開状態では、第１筐体１０１と第２筐体２０１の重なっている部分２２１でも、下入力キー２０４のある第２筐体の操作面２０５と第１筐体の下端１１９との間で所定の間隔を設けた事によって、指を入れる事が出来、下入力キー２０４の上側を押しても指が当たらなくすることが出来、使い勝手が向上する。
【００２９】
なお、ここで、下入力キー２０４側にも発着信キー、上下左右スクロールキー、決定キーなどを配置させており、第１筐体１０１の上入力キー１０７を使うことなく、第２筐体２０１の下入力キー２０４だけで全ての機能を使えるようにしても良い。
【００３０】
次に、図３を参照して内部実装品の配置構成を説明する。図３において、図３（ａ）は閉状態の側面断面図で、図３（ｂ）はスライド開状態の側面断面図である。
【００３１】
第１筐体１０１では、液晶表示部１０５の表示面と略平行になるように液晶装置１０８を配置し、その後方に第１基板１０９を、液晶装置１０８に対して略平行に配置している。液晶装置１０８の上側には、レシーバ１０６を配置しており、使用者はこの部分に耳を合わせて通話することが出来る。そして第１の筐体１０１における下部の厚み方向Ｈで薄くなっていく第１筐体の背面Ｂの反対側の表面箇所には複数のスイッチからなる上入力キー１０７と第２基板１１０を設けている。この第２基板１１０は、上入力キー１０７を搭載する基板としている。
【００３２】
一方、第２筐体２０１において、スライド面２０７を基準に、ほぼ平行となるように第３基板２０８が配置され、その裏面側にはスピーカー２０９が配置されている。この第３基板２０８が本携帯電話のメイン基板となり、最も部品を実装する基板である。また、下入力キー２０４を設けた操作面２０５を基準に、略平行となるように第４基板２１０とバッテリー２１４が配置されている。この第４基板２１０は、下入力キー２０４を搭載する基板となっており、その裏面にはバッテリーコネクタ（図示せず）を配置し、本携帯電話の給電を行い、メイン基板の第３基板２０８に接続する。さらに、スライド閉状態でも露出部分である第２筐体の端部２１１にマイク２１２を配置し、スライド開状態及び閉状態双方で通話ができるようになっている。そして、下入力キー２０４を設けた操作面２０５の裏面にバッテリー２１４を配置する。
【００３３】
このような構造とすることで、実装効率をあげることが出来、さらに、使用者が手に持って保持する所に近い個所に重量部品であるバッテリー２１４を配置する事から配置バランスの面でも安定性が保たれるので、使い勝手を向上させる事が出来る。
【００３４】
次に、図４を参照して第１筐体の第１基板１０９と第２筐体の第３基板２０８の接続方法について説明する。図４、それぞれ第１基板１０９と第３基板２０８を接続するフレキシブル部分の拡大断面図であり、図４（ａ）はスライド閉状態、図４（ｂ）はスライド開状態の図である。
【００３５】
第１基板１０９と第３基板２０８のそれぞれ中央部付近に上コネクタ１１１と下コネクタ２１３を配置し、その間をフレキシブル線１１２で繋ぐ方法をとっている。スライド閉状態では、図４（ａ）のように、第２筐体２０１の穴２１６からフレキシブル線１１２は出ていて、第１筐体１０１の凹み形状Ａ１１３の部分に収納される形で上コネクタ１１１に接続されている。スライド開状態では、第１基板１０９に接続されている上コネクタ１１１はストローク分移動し、図４（ｂ）のように、第２筐体２０１の穴２１６から出たフレキシブル線１１２は第１筐体１０１の凹み形状Ｂ１２１の部分に収納される形で上コネクタ１１１に接続されている。
【００３６】
次に、図５において、スライド機構レール部１０２の詳細について示す。図５（ａ）はスライド機構レール部１０２の断面図を表した図であり、図５（ｂ）は片側のスライド機構レール部１０２の詳細拡大図を示した図である。
【００３７】
図５（ａ）に示すように、第１筐体１０１から出た爪部と第２筐体の溝部が係合し、スライド機構レール部１０２を構成している。図５（ｂ）において、スライド機構レール部１０２は、第１筐体１０１の側面から出ている爪部１１８と第２筐体２０１の溝部２１７で構成されている。爪部１１８は液晶表示部１０５の表示面と略平行で略直線状の形状をしており、溝部２１７も略直線状の形状をしている。スライド開時には爪部１１８と溝部２１７とが摺動し、液晶表示部１０５の表示面と略平行方向に直線状にスライドする。この構成方法により、追加部品を不要とし、部品点数、製造の手間が軽減し、製造コストが小さく出来る。
【００３８】
次に、図６を参照して、開状態での携帯電話の使い勝手の詳細について説明する。図６はキー入力に際しての、使用者の保持姿勢の説明図である。図６（ａ）は携帯電話を手にした使用者の全体図であり、図６（ｂ）は使用者の目線と携帯電話の関係を表した図である。αは前記液晶表示部１０５の表示面に対する下入力キー２０４のある第２筐体の操作面２０５との間の傾斜角度であり、θは使用者が携帯電話操作時に目線を動かす範囲の角度である。
【００３９】
まず、図６（ａ）を参照する。使用者は前記液晶表示部１０５の表示面を見る際に、使用者の目線に対して液晶表示部１０５の表示面が垂直に近い角度である事が見やすい角度である。また、キー入力を行う場合、使用者は誤動作をしない為にも入力キー２０４を見ることが打ちやすいと考えられる。この場合も同様に視線に対して入力キー２０４のある第２筐体の操作面２０５が垂直に近い角度である事が、見やすい角度である。
【００４０】
使用者がキー入力を行う時には、前記入力キー２０４のある第２筐体の操作面２０５を見てキーを押す、入力した文字や絵などを目線で液晶表示部１０５の表示面を見て確認する、という作業を繰り返す。この目線とそれに向き合う液晶表示部１０５の表示面及び入力キー２０４のある第２筐体の操作面２０５が垂直に近いほど見やすい携帯電話であり、キー入力がしやすい携帯電話であるという事がいえる。
【００４１】
次に図６（ｂ）を参照する。スライド開状態において、目線が液晶表示部１０５の表示面の略中央部１１７及び下入力キー２０４の略中央部２１８に対して略垂直である時が最適な目線の角度θとした。
【００４２】
例えば、目線は液晶表示部１０５の表示面の略中央部１１７の位置にほぼ水平にあるとし、液晶表示部１０５の表示面の略中央部１１７から下入力キー２０４の略中央部２１８までの垂直方向の距離Ａを８５ｍｍとし、目から液晶表示部１０５の表示面までの水平方向の距離Ｂを３００ｍｍとし、目から入力キー２０４の略中央部までの水平方向の距離Ｃを３０６ｍｍとすると、目線の角度θは、作図上で計測すると、１５°であった。また、目線の角度θが傾斜角度αと同じ（相似、略同じ）角度となることがわかっているので、液晶表示部１０５の表示面と下入力キーのある第２筐体の操作面２０５の傾斜角度αを上記で求めた１５°とした。これにより、入力キーを正面となるようにして操作しても液晶表示も略正面から見ることが可能となり、使い勝手が向上できる。
【００４３】
尚、傾斜角度αは、使用する液晶装置の視野角や携帯電話機の大きさにより変えても構わない。さらには、使用誤差、製造誤差等を配慮して、傾斜角度αに巾を持たせてもよい。例えば、１５°±１°を適切であるとしてもよい。
【図面の簡単な説明】
【００４４】
【図１】実施例の携帯電話のスライド開状態の側面図と斜視図。
【図２】実施例の携帯電話のキー入力時の手の保持姿勢の一例の説明図。
【図３】実施例の携帯電話のスライド開状態及び閉状態の側面断面図。
【図４】実施例の携帯電話のスライド開状態及び閉状態の側面断面の詳細図。
【図５】実施例の携帯電話のスライド機構レール部の断面図。
【図６】実施例の携帯電話のキー入力時の保持姿勢の説明図と目線を動かす範囲の角度の説明図。
【図７】従来技術を表した携帯電話端末の側面図。
【図８】他の従来技術を表した携帯電話端末の側面図。
【符号の説明】
【００４５】
１０１…第１筐体、１０２…スライド機構レール部、１０３…第１筐体の上端、１０４…上中間地点近辺、１０５…液晶表示部、１０６…レシーバ、１０７…上入力キー、１０８…液晶装置、１０９…第１基板、１１０…第２基板、１１１…上コネクタ、１１２…フレキ線、１１３…凹み形状Ａ、１１４…第１筐体の背面Ａ、１１５…接続腕部Ａ、１１６…スライド面、１１７…表示面の略中央部、１１８…爪部、１１９…第１筐体の下端、１２０…第１筐体の背面Ｂ、１２１…凹み形状Ｂ、２０１…第２筐体、２０２…第２筐体の上端、２０３…下中間地点近辺、２０４…下入力キー、２０５…第２筐体の操作面、２０６…第２筐体の背面Ｃ、２０７…スライド面、２０８…第３基板、２０９…スピーカー、２１０…第４基板、２１１…第２筐体の端部、２１２…マイク、２１３…下コネクタ、２１４…バッテリー、２１５…接続腕部Ｂ、２１６…第２筐体の穴、２１７…溝部、２１８…入力キーの略中央部、２１９…第２筐体の下端、２２０…第２筐体の背面Ｄ、２２１…重なっている部分、３０１…略平行な方向の力、３０２・・・持ち上げる方向の力、Ｈ…厚み方向、Ｗ…幅方向、Ｌ…長手方向、α…傾斜角度、θ…目線の角度、Ａ…垂直方向の距離、Ｂ…液晶表示部の表示面の略中央部までの水平方向の距離、Ｃ…入力キーの略中央部までの水平方向の距離
【図１】
2005269566.tif 000003
【図２】
2005269566.tif 000004
【図３】
2005269566.tif 000005
【図４】
2005269566.tif 000006
【図５】
2005269566.tif 000007
【図６】
2005269566.tif 000008
【図７】
2005269566.tif 000009
【図８】
2005269566.tif 000010